(57)【要約】【課題】PDCCHによって搬送されるデータがPRSと衝突する問題を回避してシステム全体の性能を保証する。【解決手段】PRSと、物理ダウンリンク制御チャネル（PDCCH）によって搬送されるデータとを、同じ物理リソース上で送信する必要がある場合、同じ物理リソース上で、PDCCHによって搬送されるデータ又はPRSのみを送信する。あるいは、送信側が、同じ物理リソース上で、PRSと、PDCCHによって搬送されるデータとを同時に送信する場合、受信側は、受信したPRS又はPDCCHによって搬送されるデータを無視する。あるいは、PRS又はPDCCHによって搬送されるデータの送信を、同じ物理リソース上で送信しないように制限する。本発明は、PDCCHが、サブフレームに含まれる最初の4つのOFDMシンボル上で送信される場合、PDCCHによって搬送されるデータとPRSとが、4つ目のOFDMシンボル上で衝突する問題を解決して、システム全体の性能を保証する。【選択図】図６
2014064331.tif 000002
【特許請求の範囲】
【請求項１】
非MBSFNサブフレームにおいて、システムが、ノーマルサイクリックプレフィックスを用い、且つシステム帯域幅が、リソースブロック10個以下であり、且つ前記サブフレームで位置決定基準信号（Position Reference Signal：PRS）を送信する場合、物理ダウンリンク制御チャネル（Physical downlink control channel：PDCCH）によって搬送されるデータを、サブフレームに含まれる最初のn個のOFDMシンボル上で送信し、n=2又は3である
データ送信方法。
【請求項２】
PRSを送信する物理リソースは、サブフレームに含まれる4つ目のOFDMシンボルを含む
請求項１に記載の方法。
【請求項３】
非MBSFNサブフレームにおいて、システムが、ノーマルサイクリックプレフィックスを用い、且つシステム帯域幅が、リソースブロック10個以下であり、且つ前記サブフレームで位置決定基準信号（Position Reference Signal：PRS）を送信する場合、物理ダウンリンク制御チャネル（Physical downlink control channel：PDCCH）によって搬送されるデータを、サブフレームに含まれる最初のn個のOFDMシンボル上で送信する送信モジュールを含み、n=2又は3である
データ送信装置。
【発明の詳細な説明】
【技術分野】
【０００１】
本発明は、通信分野に関し、特に、位置決定基準信号（Position Reference Signal：PRS）送信方法、位置決定基準信号送信装置、データ送信方法、データ送信装置、データ受信方法及びデータ受信装置に関する。
【背景技術】
【０００２】
ロング・ターム・エボリューション（Long Term Evolution：LTE）システムは、重要な第３世代パートナーシッププロジェクトである。図１は、LTEシステムの周波数分割複信（Frequency Division Duplex：FDD）モードのフレーム構造を示す。図１に示すように、10msの無線フレーム（radio  frame）は、20個のタイムスロット(slot）から構成される。20個のタイムスロット(slot）は、それぞれ、長さが0.5msであり、番号0〜19が付されている。タイムスロット2i及びタイムスロット2i+1により、長さ1msのサブフレーム（subframe）iが構成される。LTEシステムが、ノーマルサイクリックプレフィックスのサブフレームを用いた場合、1つのタイムスロットには、7つのアップリンク／ダウンリンクシンボルが含まれる。LTEシステムが、拡張（extended）サイクリックプレフィックスのサブフレームを用いた場合、1つのタイムスロットには、6つのアップリンク／ダウンリンクシンボルが含まれる。リソースエレメント（Resource Element：RE）は、直交周波数分割多重（Orthogonal Frequency Division Multiplexing：OFDM）シンボルに含まれるサブキャリアである。図２は、関連技術に基づく、システム帯域幅が5MHzであるLTEシステムの物理リソースブロックを示す図である。図２に示すように、LTEシステムが、ノーマルサイクリックプレフィックスのサブフレームを用いた場合、1つのダウンリンクリソースブロック（Resource Block：RB）は、連続する12個のサブキャリアと、連続する7つのOFDMシンボルとから構成される。LTEシステムが、拡張サイクリックプレフィックスのサブフレームを用いた場合、1つのRBは、連続する12個のサブキャリアと、連続する6つのOFDMシンボルとから構成される。1つのRBの周波数領域は180kHzであり、時間領域は1つの一般的なタイムスロットの時間長さである。リソース割り当ては、リソースブロックを基本的な単位として実行される。
【０００３】
LTEシステムは、4アンテナを用いる多入力多出力（Multiple-Input Multiple-Out-put：MIMO）システムの適用をサポートする。このため、対応するアンテナポート#0、アンテナポート#1、アンテナポート#2、アンテナポート#3は、全帯域幅のセル固有基準信号（Cell-specific reference signals：CRS）方式を採用する。サブフレームのサイクリックプレフィックスが、ノーマルサイクリックプレフィックスであるとする。この場合、物理リソースブロックに含まれるCRSの位置は、図3に示すようになる。サブフレームのサイクリックプレフィックスが、拡張サイクリックプレフィックスであるとする。この場合、物理リソースブロックに含まれるCRSの位置は、図4に示すようになる。
【０００４】
基地局は、セル内の端末（UE）の位置を測定する必要がある。これにより、効率的にUEを設定してスケジュールする。現在、UEの測定にはCRSが用いられる。しかし、CRSのパワーの準静的構成のため、UEの位置決定性能が制限される。現在、上記問題の解決法としては、PRSを送信して位置決定を行う方法がある。これにより、UEの位置決定精度が保証される。PRSの送信周期は、160ms、320ms、640ms又は1280msである。PRSが送信される連続するサブフレーム数は、1、2、4又は6である。物理リソースブロックにおけるPRSの時間周波数位置は、図５に示すようになる。ここで、左図は、物理報知チャネルが、シングルアンテナポートとダブルアンテナポートとを用いて伝送する場合の、PRSの時間周波数位置を示す図である。右図は、物理報知チャネルが、4アンテナポートを用いて伝送する場合の、PRSのビデオ時間周波数位置を示す図である。
【発明の概要】
【発明が解決しようとする課題】
【０００５】
物理ダウンリンク制御チャネル（Physical downlink control channel：PDCCH）は、1つのサブフレームに含まれる最初のn個のOFDMシンボル上で送信される。非MBSFN（Multimedia Broadcast/multicast service Single Frequency Network）サブフレームにおいて、ダウンリンク帯域幅がリソースブロック10個以下であるとする。この場合、nの値は、2、3又は4である。このため、物理ダウンリンク制御チャネルが、サブフレームに含まれる最初の4つのOFDMシンボル上で送信される場合、物理ダウンリンク制御チャンネルによって搬送されるデータが、4つ目のOFDMシンボル上で、PRSと衝突する。そこで、このような問題を回避してシステム全体の性能を保証するため、解決案が必要とされている。
【０００６】
本発明は、従来技術に存在する次のような問題を解決するためのものである。その問題とは、PDCCHが、サブフレームに含まれる最初の4つのOFDMシンボル上で送信される場合、PDCCHによって搬送されるデータが、4つ目のOFDMシンボル上でPRSと衝突する問題である。上記問題を解決するため、本発明の主な目的は、位置決定基準信号送信方法、位置決定基準信号送信装置、データ送信方法、データ送信装置、データ受信方法及びデータ受信装置を提供することにある。
【課題を解決するための手段】
【０００７】
上記目的を実現するために、本発明の一側面に係る位置決定基準信号送信方法は、位置決定基準信号（Position Reference Signal：PRS）と、物理ダウンリンク制御チャネル（Physical downlink control channel：PDCCH）によって搬送されるデータとを、同じ物理リソース上で送信する必要がある場合、前記同じ物理リソース上で、前記PDCCHによって搬送されるデータのみを送信し、前記同じ物理リソース上で、前記PRSを送信しない。
【０００８】
好ましくは、前記同じ物理リソースは、サブフレームに含まれる4つ目の直交周波数分割多重（Orthogonal Frequency Division Multiplexing：OFDM）シンボルを含む。
【０００９】
上述目的を実現するために、本発明の一側面に係る位置決定基準信号送信方法は、サブフレームに含まれる所定シンボル上でPRSを送信し、
システムが、ノーマルサイクリックプレフィックスを用い、物理報知チャネル（Physical Broadcast Channel：PBCH）が、シングルアンテナポート又はダブルアンテナポートを用いて伝送し、且つシステム帯域幅が、リソースブロック10個以下である場合、前記所定シンボルは、6個目のOFDMシンボル、7個目のOFDMシンボル、9個目のOFDMシンボル、10個目のOFDMシンボル、11個目のOFDMシンボル、13個目のOFDMシンボル及び14個目のOFDMシンボルの少なくともいずれか１つを含み、
システムが、ノーマルサイクリックプレフィックスを用い、PBCHが、4アンテナポートを用いて伝送し、且つシステム帯域幅が、リソースブロック10個以下である場合、前記所定シンボルは、6個目のOFDMシンボル、7個目のOFDMシンボル、10個目のOFDMシンボル、11個目のOFDMシンボル、13個目のOFDMシンボル及び14個目のOFDMシンボルの少なくともいずれか１つを含む。
【００１０】
上記目的を実現するために、本発明の一側面に係るデータ送信方法は、PRSと、PDCCHによって搬送されるデータとを、同じ物理リソース上で送信する必要がある場合、前記同じ物理リソース上で、前記PRSのみを送信し、前記同じ物理リソース上で、前記PDCCHによって搬送されるデータを送信しない。
【００１１】
好ましくは、前記同じ物理リソースは、サブフレームに含まれる4つ目のOFDMシンボルを含む。
【００１２】
上記目的を実現するために、本発明の一側面に係るデータ送信方法は、PDCCHによって搬送されるデータを、サブフレームに含まれる最初のn個のOFDMシンボル上で送信し、
非MBSFNサブフレームにおいて、システムが、ノーマルサイクリックプレフィックスを用い、且つシステム帯域幅が、リソースブロック10個以下であり、且つ前記サブフレームでPRSを送信する場合、n=2又は3である。
【００１３】
上記目的を実現するために、本発明の一側面に係るデータ受信方法は、送信側が、同じ物理リソース上で、PRSと、PDCCHによって搬送されるデータとを同時に送信する場合、前記PRS及び前記PDCCHによって搬送されるデータのいずれか１つを含む所定データのみを受信する。
【００１４】
上記目的を実現するために、本発明の一側面に係る位置決定基準信号送信装置は、PRSと、物理ダウンリンク制御チャネルPDCCHによって搬送されるデータとを、同じ物理リソース上で送信する必要がある場合、前記同じ物理リソース上で、前記PDCCHによって搬送されるデータを送信し、前記同じ物理リソース上で、前記PRSを送信しない送信モジュールを含む。
【００１５】
上記目的を実現するために、本発明の一側面に係るデータ送信装置は、PRSと、PDCCHによって搬送れるデータとを、同じ物理リソース上で送信する必要がある場合、前記同じ物理リソース上で、前記PRSを送信し、前記同じ物理リソース上で、前記PDCCHによって搬送されるデータを送信しない送信モジュールを含む。
【００１６】
上記目的を実現するために、本発明の一側面に係る位置決定基準信号送信装置は、サブフレームに含まれる所定シンボル上でPRSを送信する送信モジュールを含み、
システムが、ノーマルサイクリックプレフィックスを用い、PBCHが、シングルアンテナポート又はダブルアンテナポートを用いて伝送し、且つシステム帯域幅が、リソースブロック10個以下である場合、前記所定シンボルは、6個目のOFDMシンボル、7個目のOFDMシンボル、9個目のOFDMシンボル、10個目のOFDMシンボル、11個目のOFDMシンボル、13個目のOFDMシンボル及び14個目のOFDMシンボルの少なくともいずれか１つを含み、
システムが、ノーマルサイクリックプレフィックスを用い、PBCHが、4アンテナポートを用いて伝送し、且つシステム帯域幅が、リソースブロック10個以下である場合、前記所定シンボルは、6個目のOFDMシンボル、7個目のOFDMシンボル、10個目のOFDMシンボル、11個目のOFDMシンボル、13個目のOFDMシンボル及び14個目のOFDMシンボルの少なくともいずれか１つを含む。
【００１７】
上記目的を実現するために、本発明の一側面に係るデータ送信装置は、PDCCHによって搬送されるデータを、サブフレームに含まれる最初のn個のOFDMシンボル上で送信する送信モジュールを含み、
非MBSFNサブフレームにおいて、システムが、ノーマルサイクリックプレフィックスを用い、且つシステム帯域幅が、リソースブロック10個以下であり、且つ前記サブフレームでPRSを送信する場合、n=2又は3である。
【００１８】
上記目的を実現するために、本発明の一側面に係るデータ受信装置は、送信側が、同じ物理リソース上で、PRSと、PDCCHによって搬送されるデータとを同時に送信する場合、前記PRS及び前記PDCCHによって搬送されるデータのいずれか１つを含む所定データのみを受信する受信モジュールを含む。
【発明の効果】
【００１９】
本発明によれば、PRS又はPDCCHによって搬送されるデータの送信を制限する。これにより、PRSと、PDCCHによって搬送されるデータとが、同じ物理リソース上で送信されることがない。あるいは、本発明によれば、受信側が、受信したPRS又はPDCCHによって搬送されるデータを無視する。本発明によれば、PDCCHが、サブフレーム含まれる最初の4つのOFDMシンボル上で送信される場合、PDCCHによって搬送されるデータが、4つ目のOFDMシンボル上で、PRSと衝突するという問題が解決される。これにより、本発明によれば、システム全体の性能が保証される。
【図面の簡単な説明】
【００２０】
【図１】関連技術に係るLTEシステムの無線フレーム構造を示す図である。
【図２】関連技術に係るシステム帯域幅が5MHzであるLTEシステムの物理リソースブロックを示す図である。
【図３】関連技術に係るノーマルサイクリックプレフィックスの場合のLTEシステムの物理リソースブロックにおけるセル固有基準信号の位置を示す図である。
【図４】関連技術に係る拡張サイクリックプレフィックスの場合のLTEシステムの物理リソースブロックにおけるセル固有基準信号の位置を示す図である。
【図５】関連技術に係る物理リソースブロックにおけるPRSの位置を示す図である。
【図６】本発明の実施形態に係るPRS送信方法のフローチャートである。
【発明を実施するための形態】
【００２１】
従来技術の課題を解決するため、本発明は、位置決定基準信号方法、データ信号送信方法及びデータ受信方法を提供する。本発明によれば、PRS又はPDCCHによって搬送されるデータの送信を制限する。これにより、PRSと、PDCCHによって搬送されるデータとが同じ物理リソース上で送信されることがない。あるいは、受信側に、受信したPRS又はPDCCHによって搬送されるデータを無視させる。これにより、システム全体の性能が保証される。
【００２２】
以下、図面を参照して実施形態とともに、本発明を詳しく説明する。本願の各実施形態及び各実施形態における各特徴は、矛盾しない限り、互いに組み合わせることができる。
【００２３】
本発明には、PRS送信方法に関する。図６は、本発明の実施形態に係るPRS送信方法のフローチャートである。図６に示すように、本実施形態に係るPRS送信方法は、以下のステップを含む。
【００２４】
ステップ602：PRSと、物理ダウンリンク制御チャネル（PDCCH）によって搬送されるデータとを、同じ物理リソース上で送信する必要がある場合、同じ物理リソース上で、PDCCHによって搬送されるデータを送信する。しかし、同じ物理リソース上で、PRSを送信しない。好ましくは、同じ物理リソースは、サブフレームに含まれる4つ目の直交周波数分割多重（OFDM）シンボルを含んでよい。
【００２５】
つまり、PRSと、物理ダウンリンク制御チャネルによって搬送されるデータとが、同じ物理リソース上で送信される場合、同じ物理リソース上で、PRSを送信しない。言い換えれば、このリソース上のPRSが破棄される。あるいは、このリソース上で、物理ダウンリンク制御チャネルによって搬送されるデータのみを送信する。
【００２６】
同じ物理リソースは、サブフレームに含まれる4つ目の直交周波数分割多重（OFDM）シンボルであってよく、あるいは、他の物理リソースユニットであってもよい。加えて、同じ物理リソースは、他の位置に位置してもよい。対応する処理方法は、ステップ602における処理方法と同様である。  
【００２７】
さらに、本発明に係るデータ送信方法によれば、PRSと、PDCCHによって搬送されるデータとを、同じ物理リソース上で送信する必要がある場合、同じ物理リソース上で、PRSを送信する。しかし、同じ物理リソース上で、PDCCHによって搬送されるデータを送信しない。好ましくは、同じ物理リソースは、サブフレームに含まれる4つ目の直交周波数分割多重（OFDM）シンボルを含んでよい。
【００２８】
つまり、PRSと、物理ダウンリンク制御チャネルによって搬送されるデータとが、同じ物理リソース上で送信される場合、このリソース（即ち、同じ物理リソース）上で、物理ダウンリンク制御チャネルによって搬送されるデータを送信しない。言い換えれば、このリソース上の、物理ダウンリンク制御チャネルによって搬送されるデータが破棄される。あるいは、このリソース上で、PRSのみを送信する。
【００２９】
さらに、本発明に係るPRS送信方法によれば、サブフレームに含まれる所定シンボル上でPRSを送信する。ここで、システムが、ノーマルサイクリックプレフィックスを用い、物理報知チャネル（Physical Broadcast Channel：PBCH）が、シングルアンテナポート又はダブルアンテナポートを用いて伝送し、且つシステム帯域幅が、リソースブロック10個以下であるとする。この場合、所定シンボルは、6個目のOFDMシンボル、7個目のOFDMシンボル、9個目のOFDMシンボル、10個目のOFDMシンボル、11個目のOFDMシンボル、13個目のOFDMシンボル、14個目のOFDMシンボルの少なくともいずれか１つを含む。システムが、ノーマルサイクリックプレフィックスを用い、物理報知チャネル（PBCH）が、4アンテナポートを用いて伝送し、且つシステム帯域幅が、リソースブロック10個以下であるとする。この場合、所定シンボルは、6個目のOFDMシンボル、7個目のOFDMシンボル、10個目のOFDMシンボル、11個目のOFDMシンボル、13個目のOFDMシンボル、14個目のOFDMシンボルの少なくともいずれか１つを含む。
【００３０】
好ましくは、システムが、ノーマルサイクリックプレフィックスを用い、且つシステム帯域幅が、リソースブロック10個以下であるとする。あるいは、PDCCHによって搬送されるデータが、PRSを送信するサブフレームに含まれる最初の4つのOFDMシンボル上で送信されるとする。あるいは、PRSが、リレーバックホール（relay backhaul）タイプのサブフレーム上で送信されるとする。これらの場合、上記方法と同様に、PRSを送信する。
【００３１】
この方法によれば、PRSの送信を制限することで、衝突の発生が避けられる。システムが、ノーマルサイクリックプレフィックスを用い、物理報知チャネル(Physical broadcast channel、PBCH)が、シングルアンテナポート又はダブルアンテナポートを用いて伝送し、且つシステム帯域幅が、リソースブロック10個以下であるとする。この場合、PRSは、サブフレームに含まれる6個目、7個目、9個目、10個目、11個目、13個目及び14個目のOFDMシンボル上で伝送さる。システムが、ノーマルサイクリックプレフィックスを用い、PBCHが、4アンテナポートを用いて伝送し、且つシステム帯域幅が、リソースブロック10個以下であるとする。この場合、PRSは、サブフレームに含まれる6個目、7個目、10個目、11個目、13個目及び14個目のOFDMシンボル上で伝送される。
【００３２】
さらに、本発明に係るデータ送信方法によれば、PDCCHによって搬送されるデータを、サブフレームに含まれる最初のn個のOFDMシンボル上で送信する。ここで、非MBSFNサブフレームにおいて、システムが、ノーマルサイクリックプレフィックスを用い、且つシステム帯域幅が、リソースブロック10個以下であり、且つ前記サブフレームでPRSを送信する場合、n=2又は3である。
【００３３】
この方法によれば、物理ダウンリンク制御チャネルの送信を制限することで、衝突の発生を回避する。物理ダウンリンク制御チャネルは、サブフレームに含まれる最初のn個のOFDMシンボル上で送信される。好ましくは、非MBSFNサブフレームにおいて、システムが、ノーマルサイクリックプレフィックスを用い、且つシステム帯域幅が、リソースブロック10個以下であり、且つ前記サブフレームでPRSを送信する場合、nの値は2又は3である。
【００３４】
さらに、本発明に係るデータ受信方法によれば、送信側が、同じ物理リソース上でPRSと、PDCCHによって搬送されるデータとを同時に送信する場合、所定データのみを受信する。この所定データとは、PRS又はPDCCHによって搬送されるデータである。好ましくは、同じ物理リソースは、サブフレームに含まれる4つ目の直交周波数分割多重（OFDM）シンボルを含んでよい。つまり、物理ダウンリンク制御チャネルが、サブフレームに含まれる最初の4つのOFDMシンボル上で送信される場合、UEは、当該サブフレームに含まれる4つ目のOFDMシンボル上で、PRSが送信されないと推定することができる。これにより、UEは、PDCCHによって搬送されるデータのみを受信する。あるいは、UEは、当該サブフレームに含まれる4つ目のOFDMシンボル上で、PDCCHによって搬送されるデータが送信されないと推定することができる。これにより、UEは、PRSのみを受信する。
【００３５】
以下、実施形態を通じて本発明の実施形態の実現過程を詳しく説明する。
【００３６】
＜実施形態＞
本実施形態は、PRSのシーケンスマッピングプロセスに関する。このシーケンスマッピングプロセスでは、所定の複数のシンボルに含まれる1つ目のOFDMシンボルからマッピングを始める方式が採用される
【００３７】
システムが、ノーマルサイクリックプレフィックスを用い、PBCHが、シングルアンテナポート又はダブルアンテナポートを用いて伝送し、且つシステム帯域幅が、リソースブロック10個以下であるとする。この場合、PRSは、サブフレームに含まれる6個目、7個目、9個目、10個目、11個目、13個目及び14個目のOFDMシンボル（図３中のOFDMシンボルインデックス5、6、8、9、10、12及び13に対応するOFDMシンボル）上で伝送される。システムが、ノーマルサイクリックプレフィックスを用い、PBCHが、4アンテナポートを用いて伝送し、且つシステム帯域幅が、リソースブロック10個以下であるとする。この場合、PRSは、サブフレームに含まれる6個目、7個目、10個目、11個目、13個目及び14個目のOFDMシンボル（図４中のOFDMシンボルインデックス5、6、9、10、12及び13に対応するOFDMシンボル）上で伝送される。
【００３８】
具体的なマッピングプロセスは、以下の通りである。
【００３９】
PRSシーケンスは、数１により定義される。数１により定義されるPRSシーケンスは、数２により定義される。
【００４０】
【数１】
2014064331.tif 000003
【００４１】
【数２】
2014064331.tif 000004
【００４２】
ここで、nsは、1つの無線フレームに含まれるタイムスロットインデックスである。ｌは、1つのタイムスロットに含まれるOFDMシンボルのインデックスである。数３は、システムの最大帯域幅である。
【００４３】
【数３】
2014064331.tif 000005
【００４４】
擬似ランダムシーケンスc(i)を生成するための数式は、数４で定義される。
【００４５】
【数４】
2014064331.tif 000006
【００４６】
ここで、Nc=1600である。x1(0)=1である。x1(n)=0である。n=1, 2, ..., 30である。x2は、擬似ランダムシーケンス初期値（数５により定義される）により生成される。cinitは、数６により算出される。cinitは、各OFDMシンボルの擬似ランダムシーケンスc(i)を生成する。
【００４７】
【数５】
2014064331.tif 000007
【００４８】
【数６】
2014064331.tif 000008
【００４９】
ここで、サイクリックプレフィックスがノーマルサイクリックプレフィックスの場合、NCP＝1である。サイクリックプレフィックスが拡張サイクリックプレフィックスの場合、NCP＝0である。
【００５０】
PRSシーケンス（数７により定義される）を、タイムスロットnsに含まれるアンテナポートpの複素変調シンボル（数８により定義される）に、数９によりマッピングする。
【００５１】
【数７】
2014064331.tif 000009
【００５２】
【数８】
2014064331.tif 000010
【００５３】
【数９】
2014064331.tif 000011
【００５４】
ここで、kは、OFDMシンボルl上のサブキャリアインデックスである。
【００５５】
システムのサイクリックプレフィックスが、ノーマルサイクリックプレフィックスである場合、数１０が成立する。
【００５６】
【数１０】
2014064331.tif 000012
【００５７】
ここで、数１１は、ダウンリンクの最大帯域幅である。nPDCCHは、現在のサブフレームで物理ダウンリンク制御チャネルを伝送するOFDMシンボルの数を示す。
【００５８】
【数１１】
2014064331.tif 000013
【００５９】
システムのサイクリックプレフィックスが、拡張サイクリックプレフィックスである場合、数１２が成立する。
【００６０】
【数１２】
2014064331.tif 000014
【００６１】
ここで、数１３が成立する。
【００６２】
【数１３】
2014064331.tif 000015
【００６３】
あるいは、PRSシーケンス（数１４により定義される）は、数１５により定義される。
【００６４】
【数１４】
2014064331.tif 000016
【００６５】
【数１５】
2014064331.tif 000017
【００６６】
ここで、nsは、1つの無線フレームに含まれるタイムスロットインデックスである。lは、1つのタイムスロットに含まれるOFDMシンボルのインデックスである。数１６は、システムの最大帯域幅を示す。擬似ランダムシーケンスc(i)を生成するための数式は、数１７により定義される。
【００６７】
【数１６】
2014064331.tif 000018
【００６８】
【数１７】
2014064331.tif 000019
【００６９】
ここで、Nc=1600である。x1(0)=1である。x1(n)=0である。n=1, 2, ..., 30である。x2は、擬似ランダムシーケンス初期値（数１８により定義される）により生成される。cinitは、数１９により算出される。cinitは、各OFDMシンボルの擬似ランダムシーケンスc(i)を生成する。
【００７０】
【数１８】
2014064331.tif 000020
【００７１】
【数１９】
2014064331.tif 000021
【００７２】
ここで、サイクリックプレフィックスがノーマルサイクリックプレフィックスの場合、NCP＝1である。サイクリックプレフィックスが拡張サイクリックプレフィックスの場合、NCP＝0である。
【００７３】
PRSシーケンス（数２０により定義される）を、タイムスロットnsに含まれるアンテナポートpの複素変調シンボル（数２１により定義される）に、数２２によりマッピングする。ここで、kは、OFDMシンボルl上のサブキャリアインデックスである。
【００７４】
【数２０】
2014064331.tif 000022
【００７５】
【数２１】
2014064331.tif 000023
【００７６】
【数２２】
2014064331.tif 000024
【００７７】
システムのサイクリックプレフィックスが、ノーマルサイクリックプレフィックスである場合、数２３が成立する。
【００７８】
【数２３】
2014064331.tif 000025
【００７９】
ここで、数２４は、ダウンリンクの最大帯域幅である。
【００８０】
【数２４】
2014064331.tif 000026
【００８１】
システムのサイクリックプレフィックスが、拡張サイクリックプレフィックスである場合、数２５が成立する。
【００８２】
【数２５】
2014064331.tif 000027
【００８３】
ここで、数２６が成立する。
【００８４】
【数２６】
2014064331.tif 000028
【００８５】
さらに、本発明に係るPRS送信装置は、上記方法の実施形態１で説明したPRS送信方法を実現することに用いられる。PRS送信装置は、送信モジュールを含む。PRSと、物理ダウンリンク制御チャネルPDCCHによって搬送されるデータとを、同じ物理リソース上で送信する必要があるとする。この場合、送信モジュールは、同じ物理リソース上で、PDCCHによって搬送されるデータを送信する。一方、送信モジュールは、同じ物理リソース上で、PRSを送信しない。
【００８６】
さらに、本発明に係るデータ送信装置は、上記方法の実施形態２で説明したデータ送信方法を実現する。データ送信装置は、送信モジュールを含む。PRSと、PDCCHによって搬送されるデータとを、同じ物理リソース上で送信する必要があるとする。この場合、送信モジュールは、同じ物理リソース上で、PRSを送信する。一方、送信モジュールは、同じ物理リソース上で、PDCCHによって搬送されるデータを送信しない。
【００８７】
さらに、本発明に係るPRS送信装置は、上記方法の実施形態３で説明したPRS送信方法を実現する。PRS送信装置は、送信モジュールを含む。送信モジュールは、サブフレームに含まれる所定シンボル上でPRSを送信する。ここで、システムが、ノーマルサイクリックプレフィックスを用い、物理報知チャネル（PBCH）が、シングルアンテナポート又はダブルアンテナポートを用いて伝送し、且つシステム帯域幅が、リソースブロック10個であるとする。この場合、所定シンボルは、6個目のOFDMシンボル、7個目のOFDMシンボル、9個目のOFDMシンボル、10個目のOFDMシンボル、11個目のOFDMシンボル、13個目のOFDMシンボル及び14個目のOFDMシンボルの少なくともいずれか１つを含む。システムが、ノーマルサイクリックプレフィックスを用い、物理報知チャネル（PBCH）が、4アンテナポートを用いて伝送し、且つシステム帯域幅が、リソースブロック10個以下であるとする。この場合、所定シンボルは、6個目のOFDMシンボル、7個目のOFDMシンボル、10個目のOFDMシンボル、11個目のOFDMシンボル、13個目のOFDMシンボル及び14個目のOFDMシンボルの少なくともいずれか１つを含む。
【００８８】
好ましくは、システムが、ノーマルサイクリックプレフィックスを用い、且つシステム帯域幅が、リソースブロック10個以下であるとする。あるいは、PDCCHによって搬送されるデータが、サブフレームに含まれる最初の4つのOFDMシンボル上で送信されるとする。あるいは、PRSが、リレーバックホール（relay backhaul）タイプのサブフレーム上で送信されるとする。これらの場合、上記PRS送信装置でPRSを送信する。
【００８９】
さらに、本発明に係るデータ送信装置は、上記方法の実施形態４で説明したデータ送信方法を実現することに用いられる。データ送信装置は、送信モジュールを含む。送信モジュールは、PDCCHによって搬送されるデータを、サブフレームに含まれる最初のn個のOFDMシンボル上で送信する。ここで、非MBSFNサブフレームにおいて、システムが、ノーマルサイクリックプレフィックスを用い、且つシステム帯域幅が、リソースブロック10個以下であり、且つ前記サブフレームでPRSを送信する。この場合、n=2又は3である。
【００９０】
本発明に係るデータ受信装置は、上記方法の実施形態５で説明したデータ受信方法を実現することに用いられる。データ受信装置は、受信モジュールを含む。送信側が、同じ物理リソース上で、PRSと、PDCCHによって搬送されるデータとを、同時に送信するとする。この場合、受信モジュールは、所定データだけを受信する。この所定データとは、PRSと、PDCCHによって搬送されるデータとのいずれか１つである。つまり、UEは、前記リソース上でPRSを送信しないと推定することができる。あるいは、UEは、前記リソース上でPDCCHによって搬送されるデータを送信しないと推定することができる。
【００９１】
上述したように、本発明の各実施形態によれば、物理ダウンリンク制御チャネルと、PRSとが衝突するという問題を解決することができる。これにより、システム全体の性能を保証することができる。
【００９２】
図示のフローチャートに示すステップは、コンピュータが実行可能なコマンドセットのようなコンピュータシステムで実行される。フローチャートに論理的順序を示したが、特定の場合では、この順番と異なる順番でステップを実行することができる。
【００９３】
明らかに、本分野の当業者は、以下のことを理解すべきである。本発明の上記各モジュール又は各ステップは、汎用の計算装置で実現できる。各モジュール又は各ステップは、単一の計算装置に集中してもいい。或いは、各モジュール又は各ステップは、複数の計算装置を有するネットワークに分散されてもいい。任意的に、各モジュール又は各ステップは、計算装置で実行可能のプログラムコードで実現することができる。これにより、各モジュール又は各ステップは、記憶装置に記憶され、計算装置により実行してもいい。或いは、各モジュール又は各ステップは、それぞれ各集積回路モジュールとして構成してもいい。各モジュール又は各ステップのうち、いくつかのモジュール又はステップを、単一の集積回路モジュールとして構成してもいい。このように、本発明は、いかなる特定のハードウェア及びソフトウェアの組み合わせにも限定されない。
【００９４】
以上は、本発明の最適な実施形態に過ぎず、本発明を制限しない。本分野の当業者は、本発明に各種の変更と変形を行うことができる。本発明の主旨精神と原則に含まれる限り、いかなる変形、置換、改良等も、本発明の保護範囲以内に含まれるべきである。
【図１】
2014064331.tif 000029
【図２】
2014064331.tif 000030
【図３】
2014064331.tif 000031
【図４】
2014064331.tif 000032
【図５】
2014064331.tif 000033
【図６】
2014064331.tif 000034